(57)【特許請求の範囲】
【請求項１】
アルカリ剤を含有する第１剤と過酸化水素を含有する第２剤とからなる二剤式染毛用又は脱色用組成物、並びに
第１剤と第２剤との混合液を収容する容器本体、及び該容器本体に装着され、かつ該混合液を泡状に吐出させるポンプフォーマーを備える二剤式の染毛用又は脱色用キットを用いた毛髪の染毛又は脱色方法であって、
第１剤又は第２剤の少なくとも一方が起泡剤を含有し、
前記混合液の粘度が２５℃において１〜３００ｍＰａ・ｓであり、
前記ポンプフォーマーが、空気室、前記空気室の底部から垂下する吸引管、及び前記空気室の上部に連なるポンプヘッドを有し、前記ポンプヘッドの１回の押し下げ操作あたりの吐出質量が１ｇ以上であり、
以下の工程Ａ）〜Ｅ）を含む毛髪の染毛又は脱色方法。
Ａ）第１剤と第２剤とを前記容器本体内で混合する工程。
Ｂ）前記容器本体に前記ポンプフォーマーが装着されたポンプフォーマー容器の前記ポンプヘッドを押し下げて、前記混合液の泡を吐出させる工程。
Ｃ）吐出させた前記混合液の泡を髪に適用する工程。
Ｄ）髪に適用した前記混合液を３〜６０分放置する工程。
Ｅ）髪に適用した前記混合液を洗い流す工程。
【請求項２】
前記キットが、第１剤が充填された容器本体と、第２剤が充填された容器本体と、第１剤と第２剤との混合液を収容する前記容器本体と、該混合液を収容する該容器本体に装着される前記ポンプフォーマーとを備え、
前記混合液が収容された前記容器本体に前記ポンプフォーマーを装着することで前記ポンプフォーマー容器が完成される請求項１に記載の染毛又は脱色方法。
【請求項３】
前記キットが、第１剤が充填された容器本体と、第２剤が充填された容器本体と、第２剤が充填された該容器本体に装着される前記ポンプフォーマーを備え、
第２剤が充填された該容器本体内に第１剤を注ぎ入れた後、該容器本体に前記ポンプフォーマーを装着することで前記ポンプフォーマー容器が完成される請求項１に記載の染毛又は脱色方法。
【請求項４】
ポンプフォーマー容器を正立させた状態において、該ポンプフォーマー容器の吐出口が、該吐出口の開口面の垂線と鉛直方向とのなす角度θが０〜７０°である請求項１ないし３のいずれか一項に記載の染毛又は脱色方法。
【請求項５】
ポンプフォーマー容器の吐出口の面積が４５〜２００ｍｍ2である請求項１ないし４のいずれか一項に記載の染毛又は脱色方法。
【請求項６】
容器本体中に第１剤と第２剤との混合液を収容した状態でポンプフォーマー容器のポンプヘッドを押し下げきるまでの最大荷重が１０〜２５Ｎである請求項１ないし５のいずれか一項に記載の染毛又は脱色方法。
【請求項７】
ポンプフォーマー容器のポンプヘッドを押し下げきった後、容器本体中に第１剤と第２剤との混合液を収容した状態で該ポンプヘッドの押し下げ状態を解除したときに、該ポンプヘッドが押し下げ前の元の位置に戻るまでに０．２〜３秒要する請求項１ないし６のいずれか一項に記載の染毛又は脱色方法。
【請求項８】
ポンプフォーマーは、１回の押し下げ操作あたりの吐出質量が８ｇ以下である、請求項１ないし７のいずれか一項に記載の染毛又は脱色方法。
【請求項９】
ポンプフォーマーの空気室が容器本体の外部に存在している請求項１ないし８のいずれか一項に記載の染毛又は脱色方法。
【請求項１０】
アルカリ剤を含有する第１剤と過酸化水素を含有する第２剤とからなる二剤式染毛用又は脱色用組成物、並びに
第１剤と第２剤との混合液を収容する容器本体、及び該容器本体に装着され、かつ該混合液を泡状に吐出させるポンプフォーマーを備え、
第１剤又は第２剤の少なくとも一方が起泡剤を含有し、
前記混合液の粘度が２５℃において１〜３００ｍＰａ・ｓであり、
前記ポンプフォーマーが、空気室、前記空気室の底部から垂下する吸引管、及び前記空気室の上部に連なるポンプヘッドを有し、
前記容器本体に前記ポンプフォーマーが装着されたポンプフォーマー容器は、前記ポンプヘッドの１回の押し下げ操作あたりの吐出質量が１ｇ以上である、
二剤式の染毛用又は脱色用キット。
【請求項１１】
第１剤が充填された容器本体と、第２剤が充填された容器本体と、第１剤と第２剤との混合液を収容する前記容器本体と、該容器本体に装着される前記ポンプフォーマーとを備える請求項１０に記載の染毛用又は脱色用キット。
【請求項１２】
第１剤が充填された容器本体と、第２剤が充填された容器本体と、第２剤が充填された該容器本体に装着される前記ポンプフォーマーを備える請求項１０に記載の染毛用又は脱色用キット。
【請求項１３】
ポンプフォーマーの空気室が容器本体の外部に存在している請求項１０ないし１２のいずれか一項に記載の染毛又は脱色方法。
【発明の詳細な説明】
【技術分野】
【０００１】
本発明は、毛髪の染毛又は脱色方法に関する。また本発明は、該染毛又は脱色方法に用いられる染毛用又は脱色用キットに関する。
【背景技術】
【０００２】
二剤式の毛髪染毛剤や二剤式の毛髪脱色剤としては、液状又はクリーム状のものが古くから広く普及している。しかし、これらを毛髪にむらなく塗布することは、慣れない人にとって難しい操作である。その理由は、髪に塗布する剤の粘度が、放置時の垂れ落ち防止のために、１０００〜１００００ｍＰａ・ｓ程度と高めになるよう調整されており、そのことに起因して剤を均一に広げにくく、また毛髪の根元まで剤を充分に行きわたらせにくいからである。更に、毛髪の根元部分や後頭部への剤の塗布にはブロッキングや合わせ鏡等のスキルが必要とされ、操作に多くの時間を要する。
【０００３】
これに対し、二剤式の毛髪染毛剤又は二剤式の脱色剤の混合液を、ノンエアゾールのフォーマー容器から泡状に吐出させる製品が知られている（例えば特許文献１）。この製品によれば、第１剤と第２剤の混合液をノンエアゾールのフォーマー容器から泡状に吐出することによって、慣れない人であっても簡単に混合液を毛髪にムラなく適用できる。その結果、仕上がりに色むらが生じにくくなる。またこの製品によれば、混合液を簡単に適用できるので、ブロッキングや合わせ鏡等のスキルが不要であり、操作に要する時間が従来の製品に比べはるかに短く済む。このような利点があることから、同文献に記載の製品は、市場に投入されたのが比較的最近であるにもかかわらず、商業的に成功をおさめ、大きな市場占有率を獲得している。
【０００４】
特許文献１に記載の製品に用いられるノンエアゾールのフォーマー容器としてスクイズフォーマーを選択し、二剤式の毛髪染毛剤又は二剤式の毛髪脱色剤の操作を円滑に行うための技術についても知られている（特許文献２及び３参照）。これらの技術では、１回のスクイズで吐出される混合液の泡の量が、片手の上に載るのに適切な量である約３ｇ以上であり、スクイズフォーマーのスクイズ量としては比較的多量な範疇に属する。それにもかかわらず、これらの文献に記載の技術によれば、スクイズを繰り返した後の混合液の泡質を、スクイズの開始当初から最後まで、極めてきめ細かくすることができるという効果や、毛髪全体の塗布に必要な全吐出質量を得るために行うスクイズの繰り返し数を低減し得るという効果が得られる。
【０００５】
一方で、ノンエアゾールのフォーマー容器として、ポンプフォーマーが広く知られており、また手洗い用泡状洗剤や洗顔フォームのような日用品向けの容器として広く使われている。ポンプフォーマーはスクイズフォーマーと比較すると、１回の吐出操作あたりの泡の吐出質量を一定にしやすいという利点がある。また、吐出操作の開始当初から最後まで、気液混合比が一定の範囲内の泡が得やすいという利点も有している。しかしポンプフォーマーは、１回の押し下げ操作あたりの泡吐出質量が０．５ｇ前後といった少量のものが主流であり、１ｇ以上のものは、知られているものの、あまり使われていない。これは以下の（ａ）及び（ｂ）に示す理由によるものと、考えられている。
【０００６】
（ａ）１回の吐出操作あたりの泡の吐出体積は、１回の吐出操作あたりの泡の吐出質量（ｇ）と気液混合比（ｍＬ／ｇ）とで決まる。このうち気液混合比は、得られた泡の使いやすさの観点から、極端に変化させることはできない。よって、主に吐出質量の方で泡の吐出体積を調整することになる。
【０００７】
（ｂ）一方、１回の吐出操作あたりの泡の吐出体積は、ポンプフォーマーの空気室の体積に比例する。よって、１回の吐出体積を多くするには、ポンプフォーマーの空気室の体積を増やす必要がある。空気室の体積を増やすには、（１）空気室の高さを長くする（２）空気室の横断面の直径を大きくする、のいずれか一方又は両方を満たす必要がある。しかし、（１）の場合には１回の押し下げ距離（ストローク）がその分長くなるために、使いやすさの観点から、あまり長くすることはできない。（２）の場合には容器全体の横断面の面積も大きくなるので、当該容器を用いる製品の輸送効率や使いやすさ等の観点から、あまり大きくすることはできない。
【０００８】
こういった事情から、一般に多く使われているポンプフォーマーは、１回の押し下げ操作あたりの泡吐出質量が０．５ｇ前後となっているのである。したがって、多めの泡を一度に用いる場合、ポンプヘッドを押す回数が多くなる。手洗い用泡状洗剤や洗顔フォームの場合には、１回の洗浄又は洗顔あたりの泡の質量は、せいぜい１ｇ前後であるので、ポンプヘッドを押す回数は２〜３回程度の少ない回数ですむ。この程度の回数ならば、使用者はそれほどの負担には感じないので、解決すべき課題として現在まで顕在化してこなかった。
【０００９】
一方、二剤式の染毛剤を、ポンプフォーマーを用いて髪に適用するには、短時間で多量の泡を吐出させることになる。このことは、使用者に加わる身体的な負担が大きくなるという課題を、今回、本発明者は見出した。
【００１０】
また、一般的なポンプフォーマーは、ポンプヘッドを短時間に何回も押すことを念頭に置いて設計されているので、ポンプヘッドを押し下げきった後、ポンプヘッドの押し下げ力を解除したときに、ポンプヘッドが押し下げ前の元の位置に直ちに戻すべく、バネを強くして、ポンプヘッドの押し圧はかなり高く設定してある。これを二剤式の染毛剤のように、１回の染毛操作全体で１００ｇ程度のまとまった量の剤を、５〜１０分程度の短時間で髪に塗布しなければならない製品の場合には、短時間でポンプヘッドを１００回以上押さなければならないので、使用者に加わる身体的な負担が一層大きくなる。
【００１１】
加えて、下記に示すような解決手段により、使用者に加わる身体的な負担を軽減しようとしたところ、本発明者は、更に別の課題を見出した。
【先行技術文献】
【特許文献】
【００１２】
【特許文献１】特開２００４−３３９２１６号公報
【特許文献２】国際公開第２００８／１３６４４１号パンフレット
【特許文献３】国際公開第２００８／１３６４３３号パンフレット
【発明の概要】
【発明が解決しようとする課題】
【００１３】
このように、スクイズフォーマーを用いた二剤式の泡状染毛剤では、該染毛剤を円滑に使うための技術が提案されているのに対して、ポンプフォーマーを用いた二剤式の泡状染毛剤では、該染毛剤を円滑に使うための技術は未だに提供されていないのが実情である。したがって本発明の課題は、ポンプフォーマーを用いた二剤式の泡状染毛剤を円滑に使うための技術を提供することにある。
【課題を解決するための手段】
【００１４】
前記の課題を解決すべく、本発明者は鋭意検討した結果、１回の押し下げ操作あたり、特定範囲の質量の泡が吐出されるポンプフォーマーを選択することによって、該ポンプフォーマーが二剤式の泡状染毛剤の泡吐出容器として円滑に使いやすいものであることを見出し、本発明を完成させるに至った。
また本発明者は、１回の押し下げ操作あたり、特定範囲の質量の泡が吐出されるポンプフォーマーを用いた場合には、二剤式の泡状染毛剤の泡吐出容器として今までになかった新たな課題が生じることを発見した。そして、その新たな課題を解決する手段として、特定の形態のポンプフォーマーを採用することにより、該ポンプフォーマーが二剤式の泡状染毛剤の泡吐出容器として円滑に使いやすいものであることを見出し、本発明を完成させるに至った。
【００１５】
すなわち第１の本発明は、アルカリ剤を含有する第１剤と過酸化水素を含有する第２剤とからなる二剤式染毛用又は脱色用組成物、並びに
第１剤と第２剤との混合液を収容する容器本体、及び該容器本体に装着され、かつ該混合液を泡状に吐出させるポンプフォーマーを備える二剤式の染毛用又は脱色用キットを用いた毛髪の染毛又は脱色方法であって、
第１剤又は第２剤の少なくとも一方が起泡剤を含有し、
前記混合液の粘度が２５℃において１〜３００ｍＰａ・ｓであり、
前記ポンプフォーマーが、１回の押し下げ操作あたりの吐出質量が１ｇ以上であり、
以下の工程Ａ）〜Ｅ）を含む毛髪の染毛又は脱色方法に係るものである。
Ａ）第１剤と第２剤とを前記容器本体内で混合する工程。
Ｂ）前記容器本体に前記ポンプフォーマーが装着されたポンプフォーマー容器のポンプヘッドを押し下げて、前記混合液の泡を吐出させる工程。
Ｃ）吐出させた前記混合液の泡を髪に適用する工程。
Ｄ）髪に適用した前記混合液を３〜６０分放置する工程。
Ｅ）髪に適用した前記混合液を洗い流す工程。
また第１の本発明は、該二剤式の染毛用又は脱色用キットに係るものである。
【００１６】
また第２の本発明は、第１の発明において、ポンプフォーマー容器を正立させた状態において、該ポンプフォーマー容器の吐出口が、該吐出口の開口面の垂線と鉛直方向とのなす角度θが０〜７０°に係るものである。
【００１７】
第３の本発明は、第１の発明において、ポンプフォーマー容器の吐出口の面積が４５〜２００ｍｍ2に係るものである。
【００１８】
第４の本発明は、第１の発明において、容器本体中に第１剤と第２剤との混合液を収容した状態でポンプフォーマー容器のポンプヘッドを押し下げきるまでの最大荷重が１０〜２５Ｎに係るものである。
【００１９】
第５の本発明は、第１の発明において、ポンプフォーマー容器のポンプヘッドを押し下げきった後、容器本体中に第１剤と第２剤との混合液を収容した状態で該ポンプヘッドの押し下げ状態を解除したときに、該ポンプヘッドが押し下げ前の元の位置に戻るまでに０．２〜３秒要するものに係るものである。
【００２０】
第６の本発明は、第１の発明において、ポンプフォーマー容器において、ポンプフォーマーの空気室が容器本体の外部に存在しているものに係るものである。
【発明の効果】
【００２１】
本発明によれば、ポンプフォーマーを用いた二剤式の泡状染毛剤又は脱色剤を円滑に使うための方法及びキットが提供される。
【図面の簡単な説明】
【００２２】
【図１】図１（ａ）〜（ｄ）は、本発明の二剤式の毛髪染毛用又は毛髪脱色用のキットの使用方法の一実施形態を示す模式図である。
【図２】図２（ａ）及び（ｂ）は、本発明の二剤式の毛髪染毛用又は毛髪脱色用のキットの使用方法の別の一実施形態を示す模式図である。
【図３】図３（ａ）及び（ｂ）は、第１剤と第２剤との混合液の泡を吐出させる状態を示す模式図である。
【図４】図４は、本発明に用いられるポンプフォーマー容器におけるポンプフォーマーの要部拡大図である。
【図５】図５は、第１剤と第２剤との混合液の泡を吐出させるときの良くない状態を示す模式図である。
【図６】図６は、本発明で用いられるポンプフォーマー容器の別の例を示す斜視図である。
【発明を実施するための形態】
【００２３】
以下本発明を、その好ましい実施形態に基づき図面を参照しながら説明する。ここで本明細書において、各種の数値は、特に規定の無い場合、室温において測定した値であるものとする。室温とは２５℃のことである。図１（ａ）〜（ｄ）には、第１の本発明の二剤式の毛髪染毛用又は毛髪脱色用のキット（毛髪化粧品）の使用方法の一実施形態が示されている。本実施形態の毛髪染毛用又は毛髪脱色用のキット（以下、これらを総称して「毛髪化粧キット」と言う。）は、アルカリ剤を含有する第１剤１と、過酸化水素を含有する第２剤２とを有している。
【００２４】
本発明において、二剤式の毛髪染毛用又は毛髪脱色用の組成物とは、第１剤１と第２剤２からなり、それらを使用時に混合して用いる染毛用又は脱色用の組成物を含む概念である。染毛用の場合、第１剤１はアルカリ剤と染料を含有し、第２剤２は過酸化水素を含有する。脱色用の場合、第１剤１は染料を含有することなくアルカリ剤を含有し、第２剤２は、過酸化水素を含有する。また、染毛用及び脱色用のいずれの場合も、本発明において用いられる組成物の概念には、過硫酸塩を含有する第３剤をも用いる形態も含まれる。その場合には、第１剤、第２剤及び第３剤が混合して用いられる。
【００２５】
第１剤１は、第１容器１１内に充填されている。第２剤２は、第１容器１１よりも大きなサイズの第２容器１２内に充填されている。第１容器１１は、容器本体１１ａと、該容器本体１１ａの口部に螺合する蓋体１１ｂとを備えている。同様に第２容器１２も、容器本体１２ａと、該容器本体１２ａの口部に螺合する蓋体１２ｂとを備えている。第２容器１２の容器本体１２ａは、後述するように、ポンプフォーマー容器の容器本体を兼用している。
【００２６】
第２容器１２の容器本体１２ａは、胴部１２０と、胴部１２０の上部において滑らかに連なる肩部１２１と、肩部１２１の上部において上方に向けて開口した口頸部１２２とを備えている。胴部１２０は、その底面の形状が、高さ方向にわたって同じになっている。胴部１２０の底面の形状は、例えば円形や楕円形、あるいは略四角形とすることができる。底面の形状は容器全体への印刷のしやすさの観点から、一般的には円形や楕円形が採用されることが多い。肩部１２１は、その横断面の形状が、胴部１２０の底面の形状と相似形になっている。肩部１２１は、上方に向かうに連れて、その横断面が次第に縮径している。
【００２７】
第１容器１１は、第１剤１に含まれる染料の酸化及びアンモニアの揮発を防止するため、ガスが透過し難い材料から構成されていることが好ましい。一方、第２容器１２は、第２剤に含まれる過酸化水素の分解によって生じる酸素に起因して容器１２内の圧力が上昇することを防止するために、ガス透過性のある材料から構成されることが好ましい。
【００２８】
本実施形態の毛髪化粧キットは、更にポンプフォーマー２０を備えている。毛髪化粧キットの使用前の状態においては、ポンプフォーマー２０は、容器本体と結合しておらず、単独の状態になっている。
【００２９】
本実施形態の毛髪化粧キットを使用するときには、まず図１（ａ）に示す状態になっている第１容器１１の蓋体１１ｂを取り外し、これとともに第２容器１２の蓋体１２ｂを取り外す。そして図１（ｂ）に示すように、第１容器１１の容器本体１１ａを倒立させて、その口部を第２容器１２の容器本体１２ａの口部内に挿入する。これによって、第１容器１１の容器本体１１ａ内に充填されている第１剤１を、第２容器１２の容器本体１２ａ内に注ぎ入れ、第１剤１と第２剤２とを混合する。この場合、図１（ｂ）に示すように、第１容器１１の容器本体１１ａの胴部は、その横断面のサイズが、第２容器１２の容器本体１２ａの口部の横断面のサイズよりも大きくなっているので、第１容器１１の容器本体１１ａの挿入は、第２容器１２の容器本体１２ａの口部によって規制される。その結果、第１剤１を第２剤中に注ぎ入れるときに、第１容器１１の容器本体１１ａが意図せず第２容器１２の容器本体１２ａ内に落ちてしまうことが防止される。
【００３０】
第１剤１を第２剤２中に注ぎ入れて、第２容器１２の容器本体１２ａには、第１剤１と第２剤２との混合液３が収容される。本発明においては、後述するように第１剤１と第２剤２はその粘度が、ジェル状やクリーム状の剤型と比較してはるかに低いので、第１剤１と第２剤２とが同一容器内に収容されただけでも、ある程度は混合される。よって後述するように、混合操作を行う前の状態であっても、第１剤１と第２剤２とが同一容器内に収容された状態であっても便宜上混合液３と呼ぶものとする。次いで、図１（ｃ）に示すように、混合液３が収容された第２容器１２の容器本体１２ａの口部から、ポンプフォーマー２０を挿入する。ポンプフォーマー２０は、容器本体１２ａに収容されている混合液３を泡状に吐出するために用いられる。ポンプフォーマー２０は、空気室２１、空気室２１の底部から垂下する吸引管２２、空気室２１の上部に連なるポンプヘッド２３等を有している。ポンプヘッド２３内には、混合液３の吐出流路（図示せず）が形成されている。この吐出流路の一端は空気室２１に連なる。吐出流路の他端は吐出口２４において開口している。また、吐出流路内には、混合液３を泡状にするための泡生成部材や泡均質化部材（いずれも図示せず）が配置されている。泡均質化部材は、例えばメッシュシートや多孔質体等から構成されている。泡均質化部材は１個又は２個以上を用いることができる。例えば泡均質化部材としてメッシュシートを２個用いる場合には、空気室２１に近い側のメッシュシートの目開きを、好ましくは５０〜２２０メッシュ、一層好ましくは９０〜１９５メッシュ、更に好ましくは１３０〜１７０メッシュとすることができる。一方、吐出口２４に近い側のメッシュシートの目開きを、好ましくは１５０〜２８０メッシュ、更に好ましくは１６５〜２５０メッシュ、一層好ましくは１８０〜２２０メッシュとすることができる。ここで、メッシュとは、１インチ当たりの目の数をいう。以上の構成を有するポンプフォーマー２０としては、従来公知の構造のものと同様のものを特に制限なく用いることができる。
【００３１】
このポンプフォーマー２０を備えたポンプフォーマー容器は、１回の押し下げ操作あたりの吐出質量が、従来のポンプフォーマー容器の吐出質量よりも多く設定されている。具体的には、１回の押し下げ操作あたりの吐出質量が１ｇ以上に設定されており、好ましくは１．５ｇ以上、更に好ましくは２ｇ以上、一層好ましくは２．５ｇ以上に設定されている。ポンプフォーマー容器の吐出質量を多く設定することには次の利点がある。すなわち、例えばセミロング（肩まで届く位の長さ）の毛髪全体を染毛又は脱色する場合、それに必要とされる混合液３の量は約１００ｇと言われている。また、染毛又は脱色の操作は、第１剤１と第２剤２との化学反応の進行が進む前に完了させる必要がある。具体的には混合後約５〜１０分以内という短時間で完了させる必要がある。したがって、約１００ｇの混合液３を短時間でポンプフォーマー容器から吐出させるためには、１回当たりの吐出質量を多くして、少ない押し下げ操作回数で、目的とする量の泡を吐出させることが有利である。この観点から、本発明においては、ポンプフォーマー容器の１回の押し下げ操作あたりの吐出質量を前記の値以上に設定している。少ない押し下げ操作回数で、目的とする質量の泡を吐出させるためには、１回の押し下げ操作あたりの吐出質量を多くすればするほど有利であるが、その反面、ポンプフォーマー２０における空気室２１の容積を大きくする必要がある。空気室２１の容積を大きくすることは、ポンプフォーマー容器の容積を大きくすることにつながり、ひいては毛髪化粧キットの容積を大きくすることにもつながる。更に、１回の押し下げ操作あたりの吐出質量を単に多くすると、ポンプヘッドを押し下げするときに混合液による抵抗が増大して押し圧が増してしまい、使いづらくなってしまう。また、本発明の泡状染毛剤を円滑に使うためにはフォーマー容器から吐出させた泡を、いったん片方の手に取ってから髪に適用することが好ましく、そのためには１回の押し下げ操作で得られる泡は片手で持てる範囲であることが好ましい。これらの観点から、１回の押し下げ操作あたりの吐出質量の上限値は、好ましくは８ｇ、更に好ましくは６ｇ、一層好ましくは４ｇに設定する。なお、１回の押し下げ操作あたりの吐出質量は、ポンプフォーマー２０における液室（後述する図６において符号３１７で示す部位）の容積によって調整することができる。
【００３２】
再び図１に戻ると、最後に、図１（ｄ）に示すように、第２容器１２の容器本体１２ａに、ポンプフォーマー２０を螺合によって装着し、密閉して、ポンプフォーマー容器３０が完成する。この状態においては、ポンプフォーマー２０の空気室２１は、容器本体１２ａ内に位置している。このポンプフォーマー容器３０は、後述する図３に示すように据え置き型のものでもよく、あるいは手で把持した状態で泡を吐出させるハンディ型でもよい。二剤式染毛剤用に使用するにおいて手頃な大きさであり、かつ染毛剤として泡の吐出操作と泡の適用操作を（特に両手で）繰り返し円滑に行い得る観点からは、ポンプフォーマー容器３０は手で握る必要が無い据え置き型であることが好ましい。ポンプフォーマー容器３０が完成したら、第１剤１と第２剤２との混合を促進させる。混合方法に制限はないが、例えば図１（ｄ）に示すように、試験管を振とうするようにポンプフォーマー容器３０を左右に軽く振る混合方法が挙げられる。ここで混合は、第２容器１２の容器本体１２ａに、ポンプフォーマー２０を装着する前に行うこともできる。この場合、第２容器１２の蓋体１２ｂで密閉した後に混合して、混合後にポンプフォーマー２０を装着することが好ましい。ポンプフォーマー２０の装着工程と混合工程の前後については、以下に示す別の混合方法を採用する場合も含め、いずれであってもよいが、蓋体１２ｂの開閉操作を省略できる観点から、ポンプフォーマー２０を装着した後に混合することが好ましい。
【００３３】
別の混合方法として、ポンプフォーマー容器３０を上下に激しく振とうする混合方法を採用することもできる。あるいは、ポンプフォーマー容器３０を略正立状態から倒立ないし横倒し状態とし、再度略正立状態に戻す混合方法を採用することもできる。具体的には、ポンプフォーマー容器３０を略正立状態から倒立ないし横倒し状態とし再度略正立状態に戻すサイクルを１０秒間に好ましくは１〜３０回、更に好ましくは１．５〜２０回、一層好ましくは２〜１０回の速さで行うと良い。略正立状態から倒立ないし横倒し状態とし再度略正立状態に戻す操作は好ましくは１〜１５回、更に好ましくは２〜１０回、一層好ましくは３〜７回行う。このようにポンプフォーマー容器３０をゆっくりと振とうしても、本発明に用いられる第１剤１及び第２剤２はその粘度が、ジェル状やクリーム状の剤型と比較してはるかに低いから、均一な混合液３を容易に得ることができる。なお、本発明においては、先に述べた特許文献３に記載の技術と異なり、第１液１と第２液２とを混合して混合液３を得るときに、該混合液３が泡立つことは何ら差し支えない。ポンプフォーマーの空気室は外部から空気を取り込む機構であり、内容液が泡立って、ボトル内が泡で充満しても空気室へその泡が侵入することはない。そのため泡質が低下することは起こらないからである。
【００３４】
以上の実施形態によれば、混合操作を効率的に行うことができ、かつ毛髪化粧キット全体の容積を小さくすることができるので有利である。
【００３５】
図２（ａ）及び（ｂ）には、第１の本発明の毛髪化粧キットの別の実施形態の使用方法が模式的に示されている。同図に示す毛髪化粧キットは、図１に示す毛髪化粧キットと同様に、第１容器１１及び第２容器１２を有している。各容器１１，１２内にはそれぞれ第１剤１及び第２剤２が充填されている。これらに加えて、本実施形態の毛髪化粧キットは、ポンプフォーマー容器３０を有している。ポンプフォーマー容器３０は、容器本体１３ａと、該容器本体１３ａの口部に螺合するポンプフォーマー２０とを備えている。毛髪化粧キットの使用前の状態においては、ポンプフォーマー容器３０の容器本体１３ａ内は空になっている。ポンプフォーマー容器３０の容器本体１３ａの形状は、先に述べた実施形態における第２容器１２の容器本体１２ａの形状と同様であることが好ましい。
【００３６】
図２（ａ）及び（ｂ）に示す毛髪化粧キットを使用する場合には、まず図２（ａ）に示すように、第１容器１１に充填されている第１剤１と、第２容器１２に充填されている第２剤２とを、ポンプフォーマー容器３０の容器本体１３ａ内に注ぎ入れ、第１剤１と第２剤２とを混合する。混合方法は、先に述べた実施形態に関して説明した方法と同様とすることができる。この実施形態によれば、先に述べた実施形態と同様に、混合操作を効率的に行うことができ、かつポンプフォーマー容器３０が容器本体１３ａと一体となっているので毛髪化粧キット全体の容積を小さくすることができるので有利である。また、本実施形態によれば、第１容器１１に充填されている第１剤１と第２容器１２に充填されている第２剤２とを小分けして使用することができ、１つの毛髪化粧キットを複数回使用できるので経済的であるという利点もある。この場合、第１容器１１や第２容器１２に使用量の目安となる目盛りを付してもよく、あるいは第１剤１と第２剤２とを計量用の容器（図示せず）で計量した後に、ポンプフォーマー容器３０の容器本体１３ａ内に注ぎ入れてもよい。更に、容器本体１３ａ内が初期状態では空なので、容器本体１３ａが第１容器１１と第２容器１２とに比較して大きい場合には、第１容器１１と第２容器１２とのいずれか一方又は両方を容器本体１３ａ内部に収容することができ、キット全体の容積の削減を図ることができる。また容器本体１３ａが大きければ、その分容器本体に熱が多く伝導することにより、第１剤と第２剤との混合時の発熱反応による熱を効率的に放熱することが期待できる。
【００３７】
図２（ａ）に示す操作の第１の別法として、第１容器１１に充填されている第１剤１と、第２容器１２に充填されている第２剤２とを、別途に用意した容器（図示せず）内に注ぎ入れ、該容器内で第１剤１と第２剤２とを混合する操作を行うことができる。第１剤１と第２剤２とを混合する場合、容器を激しく振とうしたり、容器を倒立ないし横倒し状態としたりする場合には、容器の口部を蓋体（図示せず）で密閉することが好ましい。混合によって得られた混合液３は、ポンプフォーマー容器３０の容器本体１３内に移し替えられる。この操作によれば、図２（ａ）に示す操作と同様に、１つの毛髪化粧キットを複数回使用できるので経済的であるという利点がある。
【００３８】
図２（ａ）に示す操作の第２の別法として、第１容器１１の容器本体１１ａを倒立させて、その口部を第２容器１２の容器本体１２ａの口部内に挿入し、第１容器１１の容器本体１１ａ内に充填されている第１剤１を、第２容器１２の容器本体１２ａ内に注ぎ入れ、第１剤１と第２剤２とを混合する操作を行うこともできる。この場合にも、混合によって得られた混合液３を、ポンプフォーマー容器３０の容器本体１３内に移し替えればよい。第１剤１と第２剤２とを混合する場合、容器を激しく振とうしたり、容器を倒立ないし横倒し状態としたりする場合には、第２容器１２の容器本体１２ａの口部を蓋体１２ｂで密閉することが好ましい。
【００３９】
上述の第１の別法及び第２の別法に比べ、図２（ａ）に示す操作の方が、（ｉ）毛髪化粧キットの構成要素の数を減らしてキット全体の体積を減らせる、（ii）混合操作から泡の吐出まで至る工程の数を減らせる、という利点があることから好ましい。
【００４０】
混合操作完了後、いずれの実施形態であってもポンプフォーマー容器３０のポンプヘッド２３を押し下げて、混合液３の泡を吐出させる。泡の吐出においては、ポンプヘッド２３の１回の押し下げ操作ごとに、ポンプヘッド２３を押し下げきることが、少ない押し下げ操作回数で、多量の泡を吐出させることができる点から好ましい。
【００４１】
泡を吐出させる場合には、例えば図３（ａ）に示すように、ポンプフォーマー容器３０を平坦な台の上に載置し、この状態下に、片手でポンプヘッド２３を押し下げて混合液３の泡４を吐出させる。このとき、吐出させた泡４を、ブラシやクシ等の道具で受け取っても、もう片方の手で受け取ってもよいが、もう片方の手に受け取るようにすることが、円滑な適用操作を行えることができる点から好ましい。ここで手を用いる場合には、手袋を装着することが好ましい。同図に示すポンプフォーマー容器３０は据え置き型のものであるが、先に述べたとおり、ポンプフォーマー容器３０としてハンディ型のものを用いることは何ら妨げられない。
【００４２】
ここで、図３（ａ）に示す操作の別法として、図３（ｂ）に示すように、ポンプフォーマーの容器本体の形状を略直方体（底面の形状が略長方形、特に略正方形である略直方体）とすることができる。一方の手でポンプヘッドを押しながら、もう片方の手で吐出させる泡を受け取る場合、ポンプフォーマーには一方の手のみで力を加えることになるので、容器３０を支えるのは平坦な台のみとなってしまうので安定性に欠けるおそれがある。このような不安定な状態であっても、ポンプフォーマーの容器本体の底面の形状が略長方形ないし略正方形、特に略正方形であると、繰り返しポンプヘッドを押す操作をしても容器３０が倒れ難い。しかも染毛剤のキット全体として収容箱の中での収容効率が良くなる。ここで「略」とは角をある程度に面取りするなど、多少の形状の変更を許容することを意味するものである。
【００４３】
ポンプヘッドの押し下げ動作中に倒れにくくし、しかもキット全体の収容効率を図る観点から、ポンプフォーマーの容器本体の底面の面積は２０〜６０ｃｍ2が好ましく、３０〜５５ｃｍ2が更に好ましく、４０〜５０ｃｍ2が一層好ましい。
【００４４】
次に、受け取った泡４を髪に適用する。染毛剤組成物を適用する毛髪には、ムラなく染毛できるとともに、液ダレを防止し、かつ十分な染毛効果を得るという観点から、染毛処理の直前では整髪料が適用されていないことが好ましい。また、混合液が薄まらず、ムラなく染毛できるとともに、液ダレを防止し、かつ十分な染毛効果を得るという観点から、乾いた毛髪であることが好ましい。染毛処理の直前に洗髪を行う場合には、染毛処理を行うまでに毛髪を乾燥させることが好ましい。毛髪を乾燥させるとは、少なくとも洗髪によって付着した水を主とする液体が、自然状態で垂れ落ちない程度まで除かれていることをいう。具体的には、タオルドライ状態やドライヤーにより乾燥状態とすることが好ましい。髪への泡４の適用には、例えばブラシやクシ等の道具を用いることができる。あるいは手に受けた泡４をそのまま手を用いて髪に適用することもできる。後者の適用方法を採用すると、泡４を髪の根元から毛先まで均一に、かつ容易に適用できるという利点がある。また本発明によればブロッキング操作が不要であるので、後者の方法によれば、ブロッキングしていない髪に混合液３の泡４を円滑に適用することができる。
【００４５】
前記のいずれの方法を採用する場合であっても、泡４の髪への適用においては、ポンプヘッド２３を１〜５回押し下げて吐出させた泡４を髪に適用した後、再びポンプヘッド２３を１〜５回押し下げて泡４を吐出させる操作を繰り返すことが好ましい。この繰り返し単位あたりのポンプヘッド２３を押し下げる回数は１〜４回が更に好ましく、１〜３回が更に好ましく、１〜２回が更に好ましく、最も好ましくは１回である。先に述べたとおり、本発明で用いられるポンプフォーマー容器３０は、ポンプヘッド２３の１回の押し下げ操作あたりの吐出質量が、従来のポンプフォーマー容器よりも多く設定されているので、この程度の回数の押し下げ操作を行えば、手に受けた泡４の量は十分なものとなる。また、１回の押し下げ操作あたりの吐出質量が多く設定されているので、繰り返し単位あたりの泡の適用量も多くでき、誰でも簡単に均一に塗り広げやすくて綺麗に染毛することができるという利点がある。
【００４６】
毛髪に泡４を適用する範囲は、毛髪全体であってもよく、特定の部分のみであってもよい。
【００４７】
所定の量の（混合液３からなる）泡４を必要な量だけ毛髪に適用できたら、あるいは泡４の必要量全てを適用するまでの途中において、泡４が毛髪の根元まで十分にしかも均一に行きわたるように指で、シャンプーをするように泡４を揉み込むことが好ましい。揉み込むことにより、泡４が消えかかっても再度泡立つので混合液３が毛髪から垂れ落ちるのを防止することもできる。この場合、毛髪が絡まないようにするために、また泡４が飛び散らないようにするために、ゆっくりと揉み込むことが好ましい。揉み込む操作は、連続的に１回行ってもよく、断続的に複数回繰り返してもよい。このようにして、泡４を揉み込んだら、好ましくは３〜６０分、より好ましくは５〜４５分放置する。これによって、適用された混合液３によって毛髪が染められるか又は脱色される。そして所定時間の経過後、毛髪に適用した混合液３を水で洗い流し、染毛又は脱色操作を完了させる。混合液３を水で洗い流した後、必要に応じてシャンプー及び／又はコンディショナを適用することができる。
【００４８】
以上の染毛又は脱色方法によれば、泡４の吐出操作の回数が少ないにもかかわらず、染毛又は脱色に必要な十分な量の泡４を吐出させることができるので、円滑に染毛又は脱色操作を行うことができる。かつブロッキング等の特殊な操作を行わずとも、髪の根元から毛先までむらなく染毛又は脱色を行える。
【００４９】
次に、本発明で用いられる第１剤１及び第２剤２について説明する。第１剤１が含有するアルカリ剤としては、アンモニア、モノエタノールアミン等のアルカノールアミン、水酸化ナトリウム、水酸化カリウム等を使用することができる。また、適宜、緩衝剤として、炭酸水素アンモニウム、塩化アンモニウム等のアンモニウム塩や、炭酸カリウム、炭酸水素ナトリウム等の炭酸塩などを添加することができる。アルカリ剤の濃度は、第１剤１と第２剤２の混合液３におけるｐＨが好ましくは８〜１２、更に好ましくは９〜１１となるように適宜定められる。
【００５０】
一方、第２剤２が含有する過酸化水素の濃度は、好ましくは１〜９質量％、一層好ましくは３〜６質量％に設定し、第１剤１と第２剤２の混合液３中の過酸化水素濃度を、好ましくは１〜６質量％、一層好ましくは２〜５質量％とする。また、第２剤２のｐＨは、過酸化水素の分解抑制のため、好ましくはｐＨ２〜６、一層好ましくはｐＨ２．５〜４とする。
【００５１】
第１剤１と第２剤２は、いずれも水を主たる媒体とすることが好ましい。
【００５２】
第１剤１と第２剤２の少なくとも一方は起泡剤を含有する。これにより、第１剤１と第２剤２の混合液３をポンプフォーマー容器３０から吐出させることにより、容易に混合液３を発泡させ、かつその泡を持続させることができる。起泡剤としては、起泡性を持つものであれば何でも良いが、界面活性剤が好ましい。界面活性剤としては、非イオン界面活性剤、アニオン界面活性剤、カチオン界面活性剤、両性界面活性剤、半極性界面活性剤等が挙げられる。この中でもアニオン界面活性剤又は両性界面活性剤を使用することが好ましい。
【００５３】
アニオン界面活性剤としては、例えばアルキル硫酸塩等の硫酸エステル界面活性剤；脂肪酸塩、ポリオキシエチレンアルキルエーテルカルボン酸塩、Ｎ-アシルアミノ酸塩、コハク酸アルキルの塩等のカルボン酸界面活性剤；アルキルリン酸塩、アルキルエーテルリン酸塩等のリン酸エステル界面活性剤；スルホコハク酸塩、イセチオン酸塩、タウリン塩、α-オレフィンスルホン酸塩、アルカンスルホン酸塩等のスルホン酸界面活性剤等を使用することができる。好ましくは、アルキル硫酸塩、ポリオキシエチレンアルキルエーテル硫酸塩、ポリオキシエチレンアルキルエーテルカルボン酸塩、Ｎ-アシルアミノ酸塩が挙げられる。
【００５４】
両性界面活性剤としては、脂肪酸アミドプロピルベタイン、アルキルカルボキシメチルヒドロキシエチルイミダゾリニウムベタイン、アルキルジメチルアミノ酢酸ベタイン、スルホベタイン等を使用することが好ましい。
【００５５】
非イオン界面活性剤としては、ポリオキシエチレンアルキルエーテル、アルキルポリグルコシド、アルキルグリセリルエーテル、アルキルアルカノールアミド等を使用することができ、なかでもアルキルポリグルコシド又はポリオキシエチレンアルキルエーテルが好ましい。好ましいアルキルポリグルコシドとしては、アルキル基の炭素数が８〜１４であって、グルコシドの縮合度が平均で１〜２のものが挙げられる。好ましいポリオキシエチレンアルキルエーテルとしては、アルキル基の炭素数が１０〜１８であって、ポリオキシエチレンの平均重合度が５〜４０のものが挙げられる。
【００５６】
カチオン界面活性剤としては、塩化アルキルトリメチルアンモニウム、塩化ジアルキルジメチルアンモニウム等を使用することができる。半極性界面活性剤としては、アルキルアミノキサイド等を使用することができる。
【００５７】
界面活性剤は二種以上を併用してもよい。第１剤１と第２剤２の混合液３中での界面活性剤の含有量は、頭髪に塗布しやすく、馴染みやすい泡を形成するために、０．１〜１５質量％が好ましく、０．２〜１０質量％が更に好ましく、０．５〜７質量％が一層好ましい。
【００５８】
二剤式組成物が染毛用のものである場合に、第１剤１が含有する染料としては、酸化染料又は直接染料を挙げることができる。この酸化染料としては、パラフェニレンジアミン、パラアミノフェノール、トルエン−２，５−ジアミン、Ｎ，Ｎ−ビス（２−ヒドロキシエチル）パラフェニレンジアミン、２−（２−ヒドロキシエチル）パラフェニレンジアミン、４−アミノ−３−メチルフェノール、６−アミノ−３−メチルフェノール、オルトアミノフェノール、１−ヒドロキシエチル−４，５−ジアミノピラゾール等の染料前駆体、レゾルシン、２−メチルレゾルシン、メタアミノフェノール、パラアミノオルトクレゾール、５−（２−ヒドロキシエチルアミノ）−２−メチルフェノール、メタフェニレンジアミン、２，４−ジアミノフェノキシエタノール、１−ナフトール等のカップラーが挙げられる。直接染料としては、パラニトロオルトフェニレンジアミン、パラニトロメタフェニレンジアミン、ベーシックイエロー８７、ベーシックオレンジ３１、ベーシックレッド１２、ベーシックレッド５１、ベーシックブルー９９、アシッドオレンジ７等を挙げることができる。
【００５９】
第１剤１と第２剤２の少なくとも一方には、ポンプフォーマー容器３０から吐出した混合液３の泡の泡持ちをよくし、泡を毛髪に適用した後にその泡がつぶれて液だれが生じることを抑制するため、高級アルコールを含有させることが好ましい。高級アルコールとしては、炭素数１４〜２４のものが好ましく、例えば、ミリスチルアルコール、セチルアルコール、ステアリルアルコール、ベヘニルアルコール、イソステアリルアルコール、オレイルアルコール等が挙げられる。これらは、２種以上を併用することができる。第１剤１と第２剤２との混合後の染毛用組成物全体に対して、好ましくは０．０１〜３質量％、更に好ましくは０．１〜２質量％、一層好ましくは０．２〜１質量％、更に更に好ましくは０．３〜０．８質量％含有する。
【００６０】
このほか、第１剤１と第２剤２は、必要に応じて種々の添加剤を含有することができる。例えば、第１剤１と第２剤２の混合液３を毛髪に適用後、水分が蒸発し、過酸化水素等の刺激性成分が濃縮されて頭皮が刺激を受けることをなくすために、ポリオール類、その低級アルキルエーテル類等の不揮発性親水性溶剤を添加することが好ましい。また、泡質をしっかりとしたものとし、髪の根元から毛先まで行きわたらせやすく、液ダレしない泡を形成するために、更にコンディショニング効果を毛髪に付与するために、両性若しくはカチオン性ポリマー等を含有させることも好ましい。香料、紫外線吸収剤、エデト酸等の金属封鎖剤、殺菌剤、パラオキシ安息香酸メチル等の防腐剤、ジブチルヒドロキシトルエン、１−ヒドロキシエタン−１，１−ジホスホン酸、硫酸オキシキノリン等の安定化剤、エタノール、ベンジルアルコール、ベンジルオキシエタノール等の有機溶剤、ヒドロキシエチルセルロース等の水溶性高分子化合物、保湿剤等も適宜含有することができる。
【００６１】
第１剤１の粘度（２５℃）は、好ましくは１〜５０ｍＰａ・ｓ、更に好ましくは３〜４０ｍＰａ・ｓ、一層好ましくは５〜３０ｍＰａ・ｓである。第２剤２の粘度（２５℃）は、好ましくは１〜３００ｍＰａ・ｓ、更に好ましくは３〜２００ｍＰａ・ｓ、一層好ましくは５〜１００ｍＰａ・ｓである。第１剤１と第２剤２との混合液３の粘度（２５℃）は、１〜３００ｍＰａ・ｓに設定し、好ましくは１〜１００Ｐａ・ｓ、更に好ましくは３〜６０ｍＰａ・ｓ、一層好ましくは５〜５０ｍＰａ・ｓに設定する。粘度の数値は、東京計器株式会社製Ｂ型回転粘度計（モデルＴＶ−１０）で、ローターＮｏ．１を用い、ローターを１分間回転させた後の値である。測定対象が１００ｍＰａ・ｓ以下の場合の回転速度は６０ｒｐｍ、１００〜２００ｍＰａ・ｓの場合は３０ｒｐｍ、２００〜５００ｍＰａ・ｓの場合は１２ｒｐｍで測定する。粘度は、第１剤１、第２剤２、混合液３のいずれも、２５℃の恒温槽において測定するものとする。混合液３の場合、混合後直ちに測定するものとし、反応熱による温度変化は無視するものとする。混合液３の粘度を上述の範囲とすることによって、ポンプフォーマー容器３０から吐出された泡状の該混合液３を毛髪へ適用し易い泡体積（気液混合比）を温度依存性なく実現しやすく、かつ混合液が毛髪に塗布されてから毛髪上で放置されている間の垂れ落ちを抑制できるので効果的である。ここで、気液混合比は、剤の髪への馴染み易さ及び塗り易さの点から、７〜４０ｍＬ／ｇ が好ましく、１０〜３０ｍＬ／ｇが更に好ましい。なお、ここでの気液混合比は次のようにして測定するものとする。
【００６２】
ポンプフォーマー容器の容器本体内に、室温に調整しておいた第１剤と第２剤を投入し、均一に混合する。第１剤と第２剤とを同一容器内に投入してから１分経過後、５０ｍＬの容積の容器に目一杯の泡を吐出させ、溢れた分をすりきって５０ｍＬの泡を得る。泡を収容した容器の質量を測り、吐出（収容）した泡の質量を得る。この吐出された泡の質量（ｇ）で体積５０ｍＬを割ることにより気液混合比（ｍＬ／ｇ）が得られる。
【００６３】
第１剤１と第２剤２の混合液３の粘度を上述の範囲に調整する方法としては、例えば第１剤１又は第２剤２にエタノール等の水溶性溶剤を添加したり、あるいは前述の界面活性剤、ポリオール類又は高級アルコールの種類や添加量を適宜調整したりする方法を採用すればよい。
【００６４】
第１剤１と第２剤２の混合比は、染毛剤又は脱色剤から得られる色や明るさ等に応じて適宜定めることができる。具体的には質量比で第１剤：第２剤＝３：１〜１：３が好ましく、より好ましくは２：１〜１：２である。
【００６５】
第１剤１と第２剤２との合計量は、適用する髪の長さ、髪全体への適用かそれとも部分適用か、分割使用かそれとも一度に全て使用するか、などにもよるが、１つの毛髪化粧キット全体として、好ましくは５０〜１０００ｍＬ、更に好ましくは６０〜５００ｍＬ、一層好ましくは７０〜３００ｍＬ、更に一層好ましくは８０〜２００ｍＬである。
【００６６】
第２の本発明の毛髪化粧キットでは、第１の本発明の毛髪化粧キットにおいて、ポンプフォーマー容器３０を正立させた状態において、図４に示すように、ポンプフォーマー容器３０の吐出口２４が下方を向いている。具体的には、吐出口２４の開口面の垂線Ｌ1と鉛直方向Ｌ2とのなす角度θが好ましくは０〜７０°、更に好ましくは１０〜６０°、一層好ましくは２０〜５０°となっている。吐出口２４の向きをこのように設定することには、次の利点がある。
【００６７】
一般的には吐出口が例えば図５に示すように水平方向ないしそれに近い方向を向いていることが多い。これは、吐出口部分の形状を金型から得るには、吐出口の向きは水平ないしそれに近い方向であることが、生産効率が良いからである。また従来のように、１回の吐出あたりの質量が少ない製品では、吐出口の向きが水平ないしそれに近い方向であっても何ら問題が無かった。
【００６８】
一方で、本発明の毛髪化粧キットにおけるポンプフォーマー容器３０は、先に述べたとおり、１回の押し下げ操作あたりの泡４の吐出質量が多く設定されているものである。吐出口が例えば図５に示すように（本図面のみ、便宜上、手袋をしていない状態で示しているが、手袋をしていることを意図している）水平方向ないしそれに近い方向を向いている場合には、ポンプヘッド２３を意図せず勢いよく押し下げてしまうと、泡４が勢いよく吐出されて、同図に示すように、泡４が手のひらに首尾良く受け取られず、飛び散ってしまうという課題が生じることがある。このような課題は、染毛剤又は脱色剤キットとして１回の押し下げ操作あたりの泡４の吐出質量が多く設定されているという本発明に特有のものであり、従来の技術、例えば特許文献１ないし３に記載の技術では生じ得ない課題である。かかる課題を解決することを目的として、第２の本発明においては、吐出口２４の向きを従来の常識に反して上述のように設定している。このことによって、泡４が勢いよく吐出されても、図３に示すように、泡４を手のひらに首尾良く受け取ることができる。吐出口２４の開口面の垂線Ｌ1と鉛直方向Ｌ2とのなす角度θを上述の範囲に設定するには、例えば通常ポンプヘッド２３と吐出口２４とは同一パーツからなるところ、ポンプヘッド２３とは別のパーツを取り付けること等により行うことができる。
【００６９】
第３の本発明の毛髪化粧キットでは、第１の本発明の毛髪化粧キットにおいて、ポンプフォーマー容器３０におけるポンプフォーマー２０の吐出口２４の面積が従来のポンプフォーマーの吐出口の面積よりも大きく設定されている。具体的には、吐出口２４の面積は好ましくは４５〜２００ｍｍ2、更に好ましくは５５〜１５０ｍｍ2、更に好ましくは６５〜１００ｍｍ2に設定されている。吐出口２４の面積をこのように大きく設定することには次の利点がある。すなわち、本発明の毛髪化粧キットにおけるポンプフォーマー容器３０は、先に述べたとおり、１回の押し下げ操作あたりの泡４の吐出質量が多く設定されているものである。したがって、ポンプヘッド２３を意図せず勢いよく押し下げてしまうと、泡４が勢いよく吐出されてしまい、泡４が手のひらに首尾良く受け取られず、飛び散ってしまうという課題が生じることがある。このような課題は、染毛剤又は脱色剤キットとして１回の押し下げ操作あたりの泡４の吐出質量が多く設定されているという本発明に特有のものであり、従来の技術、例えば特許文献１ないし３に記載の技術では生じ得ない課題である。かかる課題を解決することを目的として、第３の本発明においては、吐出口２４の面積を、１回の押し下げ操作あたりの泡４の吐出質量との関係で、上述の範囲に設定している。このことによって、ポンプヘッド２３を勢いよく押し下げても、泡４はそれほど勢いよく吐出されなくなるので、泡４を手のひらに首尾良く受け取ることができる。
【００７０】
第４の本発明の毛髪化粧キットでは、第１の本発明の毛髪化粧キットにおいて、ポンプフォーマー容器３０のポンプフォーマー２０におけるポンプヘッド２３を押し下げきるまでの最大荷重を、従来のポンプフォーマーのポンプヘッドの押し下げ荷重よりも軽く設定している。具体的には、容器本体中に第１剤と第２剤との混合液を収容した状態でポンプヘッド２３を押し下げきるまでの最大荷重が、好ましくは１０〜２５Ｎ、更に好ましくは１２〜２３Ｎ、更に好ましくは１５〜２２Ｎに設定されている。従来のポンプフォーマーのポンプヘッドの押し下げ荷重が重く設定されていたのは、連続してポンプヘッドを押すためにポンプヘッドの位置がすぐに、引っかからずに確実にポンプヘッドが原点復帰しなければならない、という常識があったからである。それを軽くすることは常識に反することであった。それにもかかわらず、本発明においてポンプヘッド２３の押し下げ荷重をこのように軽く設定することには、次の利点がある。すなわち、先に述べたとおり、本発明の毛髪化粧キットにおけるポンプフォーマー容器３０は、１回の押し下げ操作あたりの泡４の吐出質量が多く設定されているものである。したがって、１回の押し下げ操作だけでも十分な量の泡４を手に受けることができる。しかし、押し下げ操作時の荷重が大きいと、押し下げに過度の力を要し、使用者の身体的な負担が大きくなるという課題が生じる場合がある。更に、押し下げ操作時の荷重が大きいと、使用者は意図せず勢いよく押し下げてしまう傾向にある。先に述べたとおり、意図せず勢いよく押し下げることは、泡４が手のひらに首尾良く受け取られず、飛び散ってしまうという課題が生じる原因になることがある。また、勢いよく押し下げることは、押し下げ操作が不安定になるという課題が生じる原因になることもある。よって、染毛剤の使用においては有利とは言えない。このような課題は、染毛剤又は脱色剤キットとして１回の押し下げ操作あたりの泡４の吐出質量が多く設定されているという本発明に特有のものであり、従来の技術、例えば特許文献１ないし３に記載の技術では生じ得ない課題である。かかる課題を解決することを目的として、第４の本発明においては、押し下げ操作時の荷重を上述の範囲に設定している。このことによって、比較的小さな力で押し下げ操作を行うことができるので、使用者の身体的な負担が軽減され、また押し下げ操作を安定的に、かつ意図せずとも押し下げ操作を緩やかに、ひいては吐出させた泡を確実に片手で受け取ることができる。押し下げ操作時の荷重を上述の範囲に設定するには、ポンプヘッド２３に備えられているバネとして適切な弾性を有するものを選択すること等により行うことができる。
【００７１】
ポンプフォーマー容器３０のポンプヘッド２３を押し下げきるまでの最大荷重の測定は次のとおりに行うものとする。すなわち、ポンプフォーマーの容器本体内に、室温に調整した第１剤と第２剤との混合液を投入し、均一に混合する。第１剤と第２剤とを同一容器内に投入してから１分経過後、空押しを数回行って泡が安定に吐出されるようになった後、ユニパルス株式会社製押し圧試験機ダイナミックフォースプロセッサＦ３８１を用い、押しスピード３０ｍｍ／秒の速度でポンプヘッドを目一杯押し下げる。押し下げる過程の得られる最大の荷重を測定値とする。
【００７２】
第５の本発明の毛髪化粧キットでは、第１の本発明の毛髪化粧キットにおいて、ポンプフォーマー容器３０のポンプフォーマー２０におけるポンプヘッド２３を押し下げきった後、ポンプヘッド２３の押し下げ状態を解除したときに、ポンプヘッド２３が押し下げ前の元の位置に戻るまでの時間を制御している。具体的には、容器本体中に第１剤と第２剤との混合液を収容した状態でポンプヘッド２３が押し下げ前の元の位置に戻るまでの時間を好ましくは０．２〜３秒、更に好ましくは０．４〜２秒、更に好ましくは０．６〜１．５秒という比較的長い時間に設定している。通常のポンプフォーマー容器では、ポンプヘッドは、押し下げ前の元の位置に瞬時に戻るようになっている。本発明におけるこの時間設定は、先に述べた第４の本発明との関係において、特に技術的意義を有するものである。すなわち、ポンプヘッド２３の押し下げ操作時の荷重を軽くすることは、換言すれば、ポンプヘッド２３が押し下げ前の元の位置に戻るまでの時間が長くなることである。ポンプヘッド２３が押し下げ前の元の位置に戻るまでの時間が長くなることは、一般的に言って、繰り返しポンプヘッドを押す操作を行うこととの関係で操作全体の遅延を招きかねないので有利とは言えない。特に上述の範囲の時間は一般のユーザーにとって、従来との差が明らかにわかる時間であるので尚更である。しかし、先に述べたとおり、本発明においては、染毛剤又は脱色剤キットとして１回の押し下げ操作あたりの泡４の吐出量が多く設定されているので、ポンプヘッド２３を押し下げて泡４を吐出させれば十分な量の泡４が吐出されるので、１回の押し下げ操作のみでも十分な泡４を毛髪に適用することができる。したがって押し下げ操作を行ってから次の押し下げ操作を行うまでの時間の間隔が、従来のポンプフォーマー容器よりもはるかに長い。そのために、ポンプヘッド２３を押し下げた後、これが押し下げ前の元の位置に戻るまでの時間を短くする必要がない。換言すれば、ポンプヘッド２３が押し下げ前の元の位置に戻るまでに時間を要しても、染毛又は脱色の操作が遅延するということが起こらず、円滑に染毛操作を行うことができる。しかも先に述べた第４の本発明との関係において、ポンプヘッド２３の押し下げ操作時の荷重が軽くなっているので、却って円滑に染毛操作を行うことができる。
【００７３】
ポンプヘッド２３を押し下げきった後、ポンプヘッド２３の押し下げ状態を解除して、容器本体中に第１剤と第２剤との混合液を収容した状態でポンプヘッド２３が押し下げ前の元の位置に戻るまでの時間は、次のようにして測定される。すなわち、容器本体中に十分な量の混合液が存在した状態のポンプフォーマーを用意する。ポンプヘッド２３を押し下げきった後、ポンプヘッド２３の押し下げ状態を解除する前の任意の時点からポンプフォーマー容器を対象にビデオ撮影を開始する。押し下げ状態を解除してポンプヘッド２３が押し下げ前の元の位置に戻って停止した後にビデオ撮影を停止する。撮影後に撮影した画像をコマ送りで再生する。ポンプヘッドが動いている状態のコマ数から求める時間を得る。
【００７４】
第６の本発明の毛髪化粧キットでは、第１の本発明の毛髪化粧キットにおいて、図６に示すように、ポンプフォーマー容器３０におけるポンプフォーマー２０の空気室２１が容器本体３０ａの外部に存在している。これまでに説明してきた実施形態においては、図６に示す実施形態と異なり、ポンプフォーマーの空気室は容器本体の内部に位置していた。本実施形態のように、空気室を容器本体の外部に位置させることには次の利点がある。すなわち、本発明の毛髪化粧キットにおけるポンプフォーマー容器３０は、先に述べたとおり、１回の押し下げ操作あたりの泡４の吐出質量が多く設定されているものである。そして、泡４の吐出質量を多くするためには、ポンプフォーマーの空気室２１の容積を大きくする必要があることも、先に述べたとおりである。しかし、空気室２１をポンプフォーマー容器３０の容器本体内に収容させるときに、空気室２１の容積が大きいと、該容器本体の容積を必然的に大きくする必要がある。このことは、毛髪化粧キットの容積が大きくなってしまうという課題が生じる原因となる。このような課題は、染毛剤又は脱色剤キットとして１回の押し下げ操作あたりの泡４の吐出質量が多く設定されているという本発明に特有のものであり、従来の技術、例えば特許文献１ないし３に記載の技術では生じ得ない課題である。かかる課題を解決することを目的として、第６の本発明においては、ポンプフォーマー２０の空気室２１を容器本体３０ａの外部に位置させている。これにより、１回の押し下げ操作あたりの泡４の吐出質量を多くしても、ポンプフォーマー容器３０全体の容積を小さくさせることができ、ひいては染毛用又は脱色用キット全体の容積も小さくすることができる。また、ポンプフォーマー容器３０における容器本体の内部に空気室が存在しない分だけ、該容器本体の内部がすっきりしたものとなり、第１剤１と第２剤２とを混合を一層行いやすくなる。
【００７５】
本実施形態におけるポンプフォーマー容器３０の具体的な構造は以下のとおりである。すなわちポンプフォーマー容器３０は、内容液を収容する容器本体３０ａと、容器本体３０ａの口首部３１２に取り付けられるポンプフォーマー２０とからなり、ポンプフォーマー２０は、ピストン部３１５と接続する往復動可能なポンプヘッド３１４を備えており、ポンプヘッド３１４が押圧されることにより、加圧されたシリンダ部３１６の小径の液室３１７から混合室３１９に内容液を送る第１流路３２０と、加圧されたシリンダ部３１６の大径の空気室２１から混合室３１９に空気を送る第２流路３２１とを開放し、混合室３１９に送られた混合液と空気とを混合室３１９から吐出口２４に至る発泡流路３２３において混合し発泡させて吐出する容器である。
【００７６】
ピストン部３１５は空気室の中央部分を貫いて下端部分が液室３１７の内周面に沿って摺動する筒状ピストン部材３２４と、筒状ピストン部材３２４から径方向外側に張り出して設けられて空気室２１の内周面に沿って摺動するエアピストン部材３２５とを含んで構成されており、かつポンプフォーマー２０は、空気室２１の底部周縁部３２１ａを容器本体３０ａの口首部３１２の上方に配置すると共に、空気室２１の外周面３２１ｂを口首部３１２の外周面３１２ｂに沿って配置して、空気室２１を外側に設けた状態で、口首部３１２に一体として取り付けられている。
【００７７】
空気室２１の底部の外周面３２１ｂには雄ネジ部が形成されており、この空気室２１の雄ネジ部と、口首部３１２の外周面３１２ｂに形成された雄ネジ部との双方に螺合する雌ネジ部が内周面に形成された接合スリーブ部材３２６を介して、ポンプフォーマー２０が口首部３１２に一体として取り付けられている。
【００７８】
以上、本発明をその好ましい実施形態に基づき説明したが、本発明はかかる実施形態に制限されず、当業者の通常の知識の範囲内において、前記の各実施形態に対して適宜の改変を行った形態は、本発明の範囲内のものである。
【００７９】
〔試験例〕
花王株式会社製「プリティアふんわり泡カラー」（色：カスタードブラウン  第１剤と第２剤との混合液の２５℃における粘度１２ｍＰａ・ｓ、混合液の合計質量１００ｇ、フォーマー容器はスクイズフォーマー）の第１剤と第２剤を取り出し、下記試験に用いた。
〔試験例１〕
大和製罐株式会社製の据え置き型のポンプフォーマーＧ３（設計仕様：吐出質量３．０ｇ、吐出体積３０ｃｍ3、気液混合比１０ｍＬ／ｇ、ポンプヘッドのストローク２０ｍｍ、吐出口の開口面の垂線と鉛直方向とのなす角度は５°、吐出口の断面積５０ｍｍ2、標準に添付されているボトル本体は円筒状で、底面積は４４．２ｃｍ2）の容器本体に、前記第１剤と第２剤を入れた。ユニパルス株式会社製の押し圧試験機ダイナミックフォースプロセッサ  F381を用い、押しスピード３０ｍｍ／秒でポンプヘッドを目一杯押した。最大荷重は２９．０Ｎ（容器が空のときは１６．９Ｎ）であった。押し下げ力を解除した後ポンプヘッドが原点に戻るまでに要した時間は０．１３秒であった。ポンプヘッドの１回の押し下げで実際に吐出された泡は、質量が３．１ｇ、泡の体積が３１ｃｍ3、気液混合比が１０ｍＬ／ｇであった。当該泡は、ポンプヘッドの押し下げ操作１〜２回で片手に取るのにちょうどよく、手からこぼれ落ちないものである。
【００８０】
〔試験例２〕
ポンプヘッドを利き手で押す以外は試験例１と同様に試験を行った。何回かポンプヘッドを押すと、押し圧が重いこともあって、無意識のうちに、試験例１の押しスピードに比べて素早く押す（目安として押しスピード５０ｍｍ／秒程度）傾向であった。素早く押すと、吐出させた泡が、受け取る手のひらからこぼれ落ちることが多かった。
【００８１】
〔試験例３〕
大和製罐株式会社製ポンプフォーマーＧ３の吐出口に別パーツを取り付けて、吐出口の開口面の垂線と鉛直方向とのなす角度を３０°に調整した。それ以外は試験例２と同様に試験を行った。ポンプヘッドを素早く押しても（目安として押しスピード５０ｍｍ／秒程度）、泡は手からこぼれ落ちなかった。
【００８２】
〔試験例４〕
大和製罐株式会社製ポンプフォーマーＧ３のバネを取り出して、株式会社ミスミから入手したバネ（型番：ＷＹ１０−６５  直径１０ｍｍ、長さ６５ｍｍ）を代わりに取り付けた。それ以外は試験例１と同様に試験を行った。最大荷重は１９．７Ｎ（容器が空のときは９．９Ｎ）であった。押し下げ力を解除した後ポンプヘッドが原点に戻るまでに要した時間は０．７７秒であった。ポンプヘッド１回押し下げで実際に吐出された泡は、質量が２．８ｇ、泡の体積が３１ｃｍ3、気液混合比が１１ｍL／ｇであった。ポンプヘッドの戻る速度は、試験例１と比較すると、一目でわかる位に遅く、常識的には繰り返し使用には向かないと思われた。しかし染毛用として使うと却って使いやすいものであることがわかる。
【００８３】
〔試験例５〕
大和製罐株式会社製の据え置き型のポンプフォーマーＥ３（Ｅ３の中でも設計仕様は複数のものが存在するが、本試験例で用いたものの設計仕様は以下のとおり：吐出質量１．６ｇ、吐出体積２０ｃｍ3、気液混合比１２．５ｍＬ／ｇ、ポンプヘッドのストローク２０ｍｍ、吐出口の開口面の垂線と鉛直方向とのなす角度は５°、吐出口の断面積５０ｍｍ2、標準に添付されているボトル本体は円筒状で、底面積は２８．３ｃｍ２）の容器本体に入れた。最大荷重は２４．１Ｎ（容器が空のときは１５．２Ｎ）であった。押し下げ力を解除した後ポンプヘッドが原点に戻るまでに要した時間は０．１３秒であった。実際に吐出された泡は、質量が１．６４ｇ、泡の体積が２６ｃｍ3、気液混合比が１６ｍＬ／ｇであった。当該泡は、ポンプヘッドの押し下げ操作２回程度で片手に取るのにちょうどよく、手からこぼれ落ちないものである。
【００８４】
〔試験例６〕
特許文献１（特開２００４−３３９２１６号公報）の実施例に記載されている、大和製罐株式会社製のハンディ型のポンプフォーマーＦ２（設計仕様：吐出質量０．７５ｇ、吐出体積１０ｃｍ3、気液混合比１３．３ｍＬ／ｇ、ポンプヘッドのストローク１５ｍｍ、吐出口の開口面の垂線と鉛直方向とのなす角度は０°、吐出口の断面積３８ｍｍ2、標準に添付されているボトル本体は円筒状で、底面積は１７．３ｃｍ2）を用いた以外は試験例１と同様に試験を行った。最大荷重は２４．４Ｎ（容器が空のときは２３．１Ｎ）、押し下げ力を解除した後ポンプヘッドが原点に戻るまでに要した時間は０．０７秒であった。実際に吐出された泡は、質量０．７４ｇ、泡体積が１０ｃｍ3、気液混合比が１４ｍＬ／ｇであった。当該泡は、ポンプヘッドの押し下げ操作５回程度押してやっと片手に取るのにちょうどよい量である。最大荷重は他の試験例よりも小さめではあるが、押す回数が多く、しかもハンディ型なので何回も押し続けていると疲れるものである。
【００８５】
〔試験例７〕
中華民国にて市販されている、ポンプフォーマーによる２剤式泡状染毛剤「夢１７  慕斬染」（委託製造：東安生技實業社）に同梱されている据え置き型のポンプフォーマー容器を用いた以外は試験例１と同様に試験を行った。ポンプヘッドのストローク１７ｍｍ、吐出口の開口面の垂線と鉛直方向とのなす角度は０°、吐出口の断面積３６ｍｍ2、ボトル本体は楕円筒状で、底面積は１５．８ｃｍ2であった。最大荷重は３３．８Ｎ（容器が空のときは３２．５Ｎ）、押し下げ力を解除した後ポンプヘッドが原点に戻るまでに要した時間は０．０７秒であった。ポンプヘッド１回押し下げで実際に吐出された泡は、質量が０．７８ｇ、泡体積が９．４ｃｍ3、気液混合比が１２ｍＬ／ｇであった。
【００８６】
〔試験例８〕
中華民国にて市販されている、ポンプフォーマーによる２剤式泡状染毛剤「ＰＲＥＴＴＹ  ＣＯＬＯＲ」（製造：法實科技社）に同梱されているハンディ型のポンプフォーマー容器を用いた以外は試験例１と同様に試験を行った。ポンプヘッドのストローク１５ｍｍ、吐出口の開口面の垂線と鉛直方向とのなす角度は０°、吐出口の断面積２０ｍｍ2、ボトル本体は円筒状で、底面積は１７．９ｃｍ2であった。最大荷重は２４．９Ｎ（容器が空のときは２３．３Ｎ）、押し下げ力を解除した後ポンプヘッドが原点に戻るまでに要した時間は０．１０秒であった。ポンプヘッド１回押し下げで実際に吐出された泡は、質量が０．７６ｇ、泡体積が８．４ｃｍ3、気液混合比が１１ｍＬ／ｇであった。
【００８７】
〔試験例９〕
中華人民共和国にて市販されている、ポンプフォーマーによる２剤式泡状染毛剤「ＢＵＢＢＬＥ  ＨＡＩＲ  ＣＯＬＯＲ」（製造：広州温雅日用化粧品社）に同梱されているハンディ型のポンプフォーマー容器を用いた以外は試験例１と同様に試験を行った。ポンプヘッドのストローク１５ｍｍ、吐出口の開口面の垂線と鉛直方向とのなす角度は０°、吐出口の断面積２８ｍｍ2、ボトル本体は円筒状で、底面積は１５．２ｃｍ2であった。最大荷重は３０．１Ｎ（容器が空のときは２９．８Ｎ）、押し下げ力を解除した後ポンプヘッドが原点に戻るまでに要した時間は０．０７秒であった。ポンプヘッド１回押し下げで実際に吐出された泡は、質量が０．６９ｇ、泡体積が９．０ｃｍ3、気液混合比が１３ｍＬ／ｇであった。
【符号の説明】
【００８８】
１  第１剤
２  第２剤
３  混合液
４  泡
１１  第１容器
１１ａ  容器本体
１２  第２容器
１２ａ  容器本体
１３ａ  容器本体
２０  ポンプフォーマー
２３  ポンプヘッド
２４  吐出口
３０  ポンプフォーマー容器
【図１】
0005829461.tif 000002
【図２】
0005829461.tif 000003
【図３】
0005829461.tif 000004
【図４】
0005829461.tif 000005
【図５】
0005829461.tif 000006
【図６】
0005829461.tif 000007